(57)【要約】      （修正有）【課題】響板を振動させることにより楽音を発生させる電子鍵盤楽器において、ダンパーペダルの操作状態に応じたアコースティックな共鳴音を発生させることができ、アコースティックピアノに近似した良質な演奏音と豊かな演奏表現を実現できる電子鍵盤楽器を提供する。【解決手段】複数の鍵と、複数の鍵の押鍵状態に応じて楽音信号ＳＬＯを生成する楽音生成装置と、響板２３と、響板２３に取り付けられるとともに、生成された楽音信号ＳＬＯに基づいて駆動され、響板２３を振動させることによって、楽音を発生させる響板加振器２７と、複数の響線５１と、演奏者によって操作されるダンパーペダルと、検出されたダンパーペダルの操作量ＡＰに応じて駆動され、響線５１を振動させることによって、共鳴音を発生させる響線加振器５２と、を備える。【選択図】図３
2008299052.tif 000002
【特許請求の範囲】
【請求項１】
複数の鍵と、
当該複数の鍵の押鍵状態に応じて楽音信号を生成する楽音生成装置と、
響板と、
当該響板に取り付けられるとともに、前記生成された楽音信号に基づいて駆動され、前記響板を振動させることによって、楽音を発生させる響板加振器と、
複数の響線と、
演奏者によって操作されるダンパーペダルと、
当該ダンパーペダルの操作量を検出するペダルセンサと、
当該検出されたダンパーペダルの操作量に応じて駆動され、前記響線を振動させることによって、共鳴音を発生させる響線加振器と、
を備えることを特徴とする電子鍵盤楽器。
【請求項２】
前記複数の響線および前記響線加振器が前記響板に設けられていることを特徴とする、請求項１に記載の電子鍵盤楽器。
【請求項３】
前記響板と別個に設けられた響線取付板をさらに備え、
前記複数の響線および前記響線加振器が前記響線取付板に設けられていることを特徴とする、請求項１に記載の電子鍵盤楽器。
【発明の詳細な説明】
【技術分野】
【０００１】
本発明は、共鳴音を発生させるための響線を備えた電子ピアノなどの電子鍵盤楽器に関する。
【背景技術】
【０００２】
従来、このような響線を備えた電気ピアノとして、例えば特許文献１に開示されたものが知られている。この電気ピアノは、アップライト型のピアノ本体と、このピアノ本体に設けられた複数の鍵と、鍵ごとに設けられたハンマー、振動片およびピックアップと、響板と、この響板に設けられた加振器および複数の響線を備えている。
【０００３】
この電気ピアノでは、鍵が押鍵されると、振動片がハンマーで叩かれ、それにより生じた振動片の振動が、ピックアップによって電気信号に変換されるとともに、この電気信号が加振器に入力されることによって、加振器が振動し、響板および響線を同時に振動させる。これにより、響線で発生した共鳴音が、響板で発生した楽音に付加されることによって、スピーカから放音する場合とは異なる自然な演奏音が得られる。
【０００４】
しかし、上記のような共鳴音は、アコースティックピアノでは、演奏者によるダンパーペダルの踏込みに応じて発生するものであり、それにより、音量および音色が豊かになるとともに、演奏表現も豊かになる。これに対し、この従来の電気ピアノでは、鍵の押鍵に伴って発生した振動片の振動に基づき、加振器により響線および響板を振動させるので、響線の振動による共鳴音の強さおよび発生の開始・終了のタイミングは、鍵の押鍵の強さおよびタイミングと同じになる。このため、アコースティックピアノと異なり、ダンパーペダルの操作状態に応じた共鳴音を発生させることができず、演奏表現が単調になってしまう。
【０００５】
本発明は、このような課題を解決するためになされたものであり、響板を振動させることにより楽音を発生させる電子鍵盤楽器において、ダンパーペダルの操作状態に応じたアコースティックな共鳴音を発生させることができ、それにより、アコースティックピアノに近似した良質な演奏音と豊かな演奏表現を実現することができる電子鍵盤楽器を提供することを目的とする。
【０００６】
【特許文献１】実公昭５７−３１３４０号公報
【発明の開示】
【課題を解決するための手段】
【０００７】
上記の目的を達成するため、本発明の請求項１による電子鍵盤楽器は、複数の鍵と、複数の鍵の押鍵状態に応じて楽音信号を生成する楽音生成装置と、響板と、響板に取り付けられるとともに、生成された楽音信号に基づいて駆動され、響板を振動させることによって、楽音を発生させる響板加振器と、複数の響線と、演奏者によって操作されるダンパーペダルと、ダンパーペダルの操作量を検出するペダルセンサと、検出されたダンパーペダルの操作量に応じて駆動され、響線を振動させることによって、共鳴音を発生させる響線加振器と、を備えることを特徴とする。
【０００８】
この電子鍵盤楽器によれば、鍵の押鍵状態に応じ、楽音生成装置によって楽音信号が生成されるとともに、この楽音信号に基づき、響板加振器が駆動され、響板を振動させることによって、楽音が発生し、響板から放音される。このように、響板を振動させ、その広い面の全体から楽音を放音するので、例えばコーンスピーカを用いる場合と比較して、アコースティックピアノにより近似した、深み、広がりおよびボリューム感のある良質な演奏音を得ることができる。
【０００９】
また、響線加振器が駆動され、複数の響線を振動させることによって、アコースティックな共鳴音が発生し、楽音に付加される。これにより、アコースティックピアノにさらに近似した良質な演奏音を得ることができる。さらに、響線加振器がダンパーペダルの操作量に応じて駆動されるので、共鳴音の強さおよび発生の開始・終了タイミングを、楽音と独立して制御できる。その結果、アコースティックピアノと同様のダンパーペダル効果が得られ、さらに良質な演奏音と豊かな演奏表現を実現することができる。
【００１０】
請求項２に係る発明は、請求項１に記載の電子鍵盤楽器において、複数の響線および響線加振器が響板に設けられていることを特徴とする。
【００１１】
この構成によれば、響線が響板に設けられているので、響線の振動に伴って発生する共鳴音もまた、響板を介して、その全体から放音される。したがって、アコースティックピアノにさらに近似した良質な演奏音を得ることができる。
【００１２】
請求項３に係る発明は、請求項１に記載の電子鍵盤楽器において、響板と別個に設けられた響線取付板をさらに備え、複数の響線および響線加振器が響線取付板に設けられていることを特徴とする。
【００１３】
この構成によれば、響線加振器により響線取付板を振動させることによって、響線が振動し、共鳴音が発生する。また、響線が響板と別個の響線取付板に設けられているので、ダンパーペダルの非操作時には、響線が響板の振動に対して不必要に共鳴しにくくなることで、クリアな演奏音が得られる。一方、ダンパーペダルの操作時には、響線加振器による響線の加振を、響板の振動の影響を直接、受けることなく、行えるので、共鳴音を良好に発生させることができる。
【００１４】
また、この構成では、響線加振器、響線取付板および響線から成る共鳴音発生系が、響板加振器および響板から成る楽音発生系と分離されるので、響線加振器を駆動するための駆動信号を、楽音信号と別個に生成することが可能になる。その場合、駆動信号は、響線を振動させる機能を有すればよく、例えばより単純な波形でもよいので、それにより、共鳴音の制御を単純化することができる。
【発明を実施するための最良の形態】
【００１５】
以下、本発明の好ましい実施形態を、図面を参照しながら説明する。図１および図２は、本発明を適用したアップライト型の電子ピアノを示している。この電子ピアノ１は、ピアノ本体２と、ピアノ本体２を支持するスタンドユニット３などで構成されている。ピアノ本体２およびスタンドユニット３の左右の側面には、両者を覆うように親板４、４がそれぞれ取り付けられている。
【００１６】
ピアノ本体２の外装は、左右の腕木５、５と、腕木５、５の下端部間および上端部間にそれぞれ延びる水平な棚板６および天板７と、腕木５、５の後端部間を覆う背板８などで構成されている。ピアノ本体２内には、鍵盤装置９、操作パネル１０、中高音用スピーカ１１および高音用スピーカ１２などが設けられている。なお、図１などに示される符号７ａは、天板７に取り付けられた譜面台である。
【００１７】
鍵盤装置９は、棚板６上に左右方向に並設された多数の鍵１３から成る鍵盤１４と、鍵１３ごとに設けられ、押鍵された鍵１３に連動して回動するハンマー（図示せず）と、鍵１３ごとに設けられ、その押鍵情報を検出する鍵センサ１５（図５参照）を備えている。鍵１３は、主に木質材から成り、アコースティックなアップライトピアノの鍵とほぼ同様に構成されていて、その中央において回動自在に支持されている。鍵センサ１５は、ゴムスイッチなどで構成され、対応する鍵１３の押鍵の有無（オン／オフ）および押鍵速度（ベロシティ）を、押鍵に伴って回動するハンマーを介して検出する。
【００１８】
操作パネル１０は、鍵盤１４の上方に配置されており、電子ピアノ１の音色、音量や音響効果などを設定するための操作ボタンおよび操作レバーや、それらの設定状態を表示するための表示器などが設けられている。
【００１９】
中高音用スピーカ１１は、４つのミッドレンジスピーカで構成され、主として楽音の中高音成分を再生するものであり、図３に示すように、ピアノ本体２内の上側後端部に、放音面が上方に向いた状態で配置されている。高音用スピーカ１２は、２つのドームツイータで構成され、主として楽音の高音成分を再生するものであり、ピアノ本体２の上部の左右の端部に、鍵盤蓋１６のスライド用の開口１７（図１参照）に臨み、放音面が前方に向いた状態で、配置されている。
【００２０】
図３などに示すように、スタンドユニット３は、左右の妻土台１８、１８、側板１９、１９、棚受柱２０、２０、ペダル土台２１、下前板２２、響板２３および蓋板２４などをボックス状に組み立てたものである。
【００２１】
ペダル土台２１は、妻土台１８、１８の後部間に連結され、左右方向に延びており、その中央には、右側のダンパーペダル２５を含む３つのペダル２５が回動自在に設けられている（図１参照）。各ペダル２５には、その操作の有無（オン／オフ）を検出するペダルセンサ２６（図５参照）が設けられており、ダンパーペダル２５についてはさらに、その操作量ＡＰが検出される。下前板２２は、左右の側板１９、１９、ペダル土台２１および蓋板２４で取り囲まれた空間の前端を覆うように、設けられている。
【００２２】
また、響板２３の前面には響板加振器２７が取り付けられており、両者２３、２７によって、響板スピーカ２８が構成されている。響板２３は、アコースティックなアップライトピアノの響板と同様、スプルスなどから成る複数のむくの板材を継ぎ合わせることによって、形成されている。また、響板２３の背面には、複数の響棒２９が貼り付けられている。これらの響棒２９は、響板２３における振動の伝達速度を高めるためのものであり、互いに平行に斜めに延びている。
【００２３】
一方、下前板２２を配した前記空間の後端部には、その外周に沿って打廻し２３ａが取り付けられている。響板２３は、この打廻し２３ａの前面に固定され、スタンドユニット３の背面を覆うように設けられている（図２参照）。
【００２４】
響板加振器２７は、例えば電磁式のものであり、図４に示すように、響板２３の前面の中央よりも若干低音側の所定位置に取り付けられている。響板加振器２７は、鍵１３の押鍵に伴い、後述する楽音生成装置３０から出力される楽音信号ＳＬＯに基づいて駆動され、響板２３を振動させることによって、響板２３から楽音を発生させる。
【００２５】
図４に示すように、響板２３の前面にはさらに、複数（例えば１２本）の響線５１と、響線５１を共鳴させるための響線加振器５２が取り付けられている。
【００２６】
響線５１は、ピアノ線などで構成され、互いに異なる所定の長さを有し、響板２３の前面の高音側に固定された水平な上側の駒５３と、斜めに延びる下側の駒５４との間に張られている。具体的には、上側の駒５３には響線５１と同じ数のチューニングピン５５（１つのみ図示）が設けられ、下側の駒５４には同数のヒッチピン５６（１つのみ図示）が設けられており、響線５１は両ピン５５，５６の間に張られている。
【００２７】
また、各響線５１の張力はチューニングピン５５によって調整され、それにより、響線５１は、Ｃ，Ｃ＃、Ｄ，・・・Ａ＃，Ｂの１２音階を構成するように調律されている。
【００２８】
響線加振器５２は、響板加振器２７と同様の、例えば電磁式のものであり、響板２３の響線５１に近い所定位置に取り付けられている。響線加振器５２は、ダンパーペダル２５の操作に伴い、楽音生成装置３０から出力される楽音信号ＳＬＯで駆動されることにより、響板２３を介して響線５１を振動させることによって、共鳴音を発生させる。
【００２９】
図５に示すように、楽音生成装置３０は、センサスキャン回路３１、パネルスキャン回路３２、ＣＰＵ３３、ＲＯＭ３４、ＲＡＭ３５、音源回路３６、波形メモリ３７、ＤＳＰ３８、左右のチャンネル用のＤ／Ａ変換器３９Ｌ，３９Ｒ、中高音用フィルタ４０Ｌ，４０Ｒ、中高音用パワーアンプ４１Ｌ，４１Ｒ、加算器４２、低音用フィルタ４３および低音用パワーアンプ４４で構成されている。
【００３０】
センサスキャン回路３１は、鍵センサ１５の検出信号に基づいて、鍵１３のオン／オフ情報、オンまたはオフされた鍵１３を特定するキーナンバ情報、およびオンされた鍵１３のベロシティを表すタッチデータを、鍵１３の押鍵情報データとしてＣＰＵ３３に出力する。また、センサスキャン回路３１は、ペダルセンサ２６の検出信号に基づいて、各ペダル２５のオン／オフ情報およびダンパーペダル２５の操作量ＡＰを、ペダル２５の操作情報データとしてＣＰＵ３３に出力する。
【００３１】
パネルスキャン回路３２は、操作ボタンや操作レバーの操作状態を検出し、操作情報データとしてＣＰＵ３３に出力する。
【００３２】
ＣＰＵ３３は、センサスキャン回路３１からの押鍵情報データ、およびペダル２５の操作情報データに応じ、ＲＯＭ３４に記憶された制御プログラムなどに従って、後述する楽音信号ＳＭを生成するための制御信号を生成し、音源回路３６に出力する。また、ＣＰＵ３３は、パネルスキャン回路３２からの操作情報データに応じ、ＲＯＭ３４に記憶された固定データを検索することによって、音色、音量や音響効果を制御するための音響信号を生成し、ＤＳＰ３８に出力する。
【００３３】
さらに、ＣＰＵ３３は、ダンパーペダル２５の操作量ＡＰに応じ、図６に示すテーブルを検索することによって、後述する共鳴音波形信号ＳＤに乗算される振幅Ｍを算出するとともに、算出した振幅Ｍを表すデータをＤＳＰ３８に出力する。このテーブルでは、振幅Ｍは、操作量ＡＰ＝０のとき、すなわちダンパーペダル２５が操作されていないときに、値０に設定されるとともに、操作量ＡＰが大きいほど、より大きな値にリニアに設定されている。
【００３４】
ＲＯＭ３４は、ＣＰＵ３３で実行される制御プログラムの他、音色、音量や音響効果を制御するための制御用の固定データなどを記憶している。これらの固定データは、左右のチャンネルごとに設定されている。また、ＲＡＭ３５は、電子ピアノ１の動作状態を表すステータス情報などを一時的に記憶するとともに、ＣＰＵ３３の作業領域としても使用される。
【００３５】
音源回路３６は、ＣＰＵ３３からの制御信号に従って、波形メモリ３７から楽音波形データおよびエンベロープデータを読み出し、読み出した楽音波形データにエンベロープデータを付加することによって、原音となる楽音信号ＳＭを生成し、ＤＳＰ３８に出力する。また、音源回路３６は、ダンパーペダル２５が操作されているときに、波形メモリ３７から共鳴音波形データＤＲを読み出し、ＤＳＰ３８に出力する。
【００３６】
ＤＳＰ３８は、入力された楽音信号ＳＭを、左右のチャンネルの楽音信号に分岐するとともに、これらの楽音信号に、ＣＰＵ３３からの音響信号に従って所定の音響効果などを付加する。また、ＤＳＰ３８は、共鳴音波形データＤＲにＣＰＵ３３からの振幅Ｍを乗算するとともに、上記左右の楽音信号に加算することによって、左右の楽音信号ＳＬ，ＳＲを生成し、Ｄ／Ａ変換器３９Ｌ，３９Ｒにそれぞれ出力する。
【００３７】
Ｄ／Ａ変換器３９Ｌ，３９Ｒは、デジタルの楽音信号ＳＬ，ＳＲをアナログの楽音信号ＳＬＡ，ＳＲＡに変換した後、中高音用フィルタ４０Ｌ，４０Ｒおよび加算器４２に出力する。
【００３８】
中高音用フィルタ４０Ｌ，４０Ｒは、バンドパスフィルタで構成されており、楽音信号ＳＬＡ，ＳＲＡのうち、中高音域に相当する周波数成分を通過させ、楽音信号ＳＬＭＨ，ＳＲＭＨとして、中高音用パワーアンプ４１Ｌ，４１Ｒにそれぞれ出力する。
【００３９】
中高音用パワーアンプ４１Ｌ，４１Ｒは、楽音信号ＳＬＭＨ，ＳＲＭＨを所定の利得で増幅した後、左チャンネルの楽音信号ＳＬＭＨを、左側の２つの中高音用スピーカ１１，１１および高音用スピーカ１２に出力するとともに、右チャンネルの楽音信号ＳＲＭＨを、右側の２つの中高音用スピーカ１１，１１および高音用スピーカ１２に出力する。
【００４０】
中高音用スピーカ１１および高音用スピーカ１２はそれぞれ、楽音信号ＳＬＭＨ，ＳＲＭＨを再生し、楽音として放音する。
【００４１】
加算器４２は、左右のチャンネルの楽音信号ＳＬＡ，ＳＲＡを加算した後、低音用フィルタ４３に出力する。
【００４２】
低音用フィルタ４３もまた、バンドパスフィルタで構成されており、加算器４２から出力された楽音信号のうち、低音域に相当する周波数成分を通過させ、楽音信号ＳＬＯとして、低音用パワーアンプ４４に出力する。
【００４３】
低音用パワーアンプ４４は、楽音信号ＳＬＯを所定の利得で増幅した後、響板加振器２７および響線加振器５２に出力する。これにより、響板加振器２７が、楽音信号ＳＬＯに基づいて駆動され、響板２３を振動させることによって、響板２３から楽音が発生する。また、この楽音信号ＳＬＯに基づいて響線加振器５２が駆動され、響板２３を介して響線５１を振動させることによって、共鳴音が発生する。
【００４４】
以上のように、本実施形態によれば、鍵センサ１５で検出された鍵１３の押鍵状態に応じて楽音信号ＳＬＯを生成し、この楽音信号ＳＬＯに基づいて響板加振器２７を駆動し、響板２３を振動させることによって、楽音が発生し、響板２３から放音される。このように、楽音が響板２３の広い面の全体から放音されるので、例えばコーンスピーカを用いる場合と比較して、アコースティックピアノにより近似した、深み、広がりおよびボリューム感のある良質な演奏音を得ることができる。
【００４５】
また、ダンパーペダル２５の操作時には、響線加振器５２で響線５１を振動させることにより、アコースティックな共鳴音が発生し、楽音に付加されるので、アコースティックピアノにさらに近似した良質な演奏音を得ることができる。さらに、ダンパーペダル２５の操作量ＡＰが大きいほど、共鳴音波形データＤＲに乗算される振幅Ｍをより大きな値に設定するとともに、そのような共鳴音波形データＤＲを含む楽音信号ＳＬＯに基づいて響線加振器５２を駆動するので、共鳴音の強さおよび発生の開始・終了タイミングを、楽音と独立して制御できる。その結果、アコースティックピアノと同様のダンパーペダル効果が得られ、さらに良質な演奏音と豊かな演奏表現を実現することができる。
【００４６】
さらに、響線５１が響板２３に設けられているので、響線５１の振動に伴って発生する共鳴音もまた、響板２３を介して、その全体から放音される。したがって、アコースティックピアノにさらに近似した良質な演奏音を得ることができる。また、響線５１および響線加振器５２が響板２３に配置されていて、これらを取り付けるための別個の取付板は不要であるので、その分の部品点数および組立工数の削減によって、製造コストを削減することができる。
【００４７】
なお、本実施形態では、響線加振器５２を響板加振器２７と別個に構成しているが、両者を共通化し、単一の加振器で構成してもよい。それにより、加振器の個数を削減し、製造コストを削減することができる。
【００４８】
図７は、本発明の第２実施形態による電子ピアノを示している。なお、本実施形態の構成要素のうち、上述した第１実施形態と構成が同じものについては、同じ参照番号を付し、その詳細な説明は省略するものとする。
【００４９】
図７に示すように、本実施形態の電子ピアノ６１では、響線５１および響線加振器５２が、響板２３ではなく、その前側に配置された下前板２２の背面に設けられている。すなわち、響線５１および響線加振器５２を取り付けるための響線取付板として、下前板２２が用いられている。
【００５０】
また、本実施形態では、図８に示す楽音生成装置６２によって、楽音信号ＳＬＯなどの楽音信号、および響線加振器５２を駆動するための駆動信号ＳＤが、以下のようにして生成される。
【００５１】
楽音信号ＳＬＭＨ，ＳＲＭＨおよびＳＬＯについては、ＤＳＰ３８において、波形メモリ３７から読み出された楽音波形データおよびエンベロープデータに基づき、共鳴音波形データＤＲを用いないで楽音信号ＳＬ，ＳＲを生成すること以外は、第１実施形態と同様にして生成される。
【００５２】
また、駆動信号ＳＤは、上記の楽音信号ＳＬＭＨ，ＳＲＭＨおよびＳＬＯとは別個に、次のようにして生成される。まず、ＣＰＵ３３は、センサスキャン回路３１からのダンパーペダル２５の操作情報データに応じて、駆動信号ＳＤを生成するための制御信号を生成し、音源回路３６に出力する。
【００５３】
また、ＣＰＵ３３は、ダンパーペダル２５の操作量ＡＰに応じ、所定のテーブルを検索することによって、駆動信号ＳＤの振幅ＭＤを算出するとともに、算出した振幅ＭＤを表すデータをＤＳＰ３８に出力する。図示しないが、このテーブルでは、図６のテーブルの振幅Ｍと同様、振幅ＭＤは、操作量ＡＰ＝０のときに値０に設定されるとともに、操作量ＡＰが大きいほど、より大きな値にリニアに設定されている。
【００５４】
音源回路３６は、ＣＰＵ３３からの制御信号に従って、波形メモリ３７から駆動信号波形データＤＤを読み出し、ＤＳＰ３８に出力する。なお、駆動信号ＳＤは、響線加振器５２を駆動し、響線５１を共鳴させるものであればよいので、駆動信号波形データＤＤは、楽音波形データと異なり、比較的単純な波形、例えばサイン波を形成するように設定されている。
【００５５】
ＤＳＰ３８は、音源回路３６から出力された駆動信号波形データＤＤに、ＣＰＵ３３からの振幅Ｍを乗算することによって、駆動信号ＳＤを生成する。この場合、響線加振器５２自体の振動による音を聞こえにくくするために、駆動信号ＳＤの周波数は、不可聴領域に属する所定の周波数（例えば４０Ｈｚ以下）に設定される。
【００５６】
生成された駆動信号ＳＤは、Ｄ／Ａ変換器６３でアナログ信号に変換され、さらにパワーアンプ６４によって所定の利得で増幅された後、響線加振器５２に出力される。これにより、響線加振器５２が駆動され、下前板２２を介して響線５１を振動させることにより、共鳴音が発生し、響板２３から発生する楽音に付加されることによって、ダンパーペダル効果が付与される。他の構成は、第１実施形態と同じである。
【００５７】
以上のように、本実施形態によれば、響線５１が響板２３と別個の下前板２２に取り付けられているので、ダンパーペダル２５の非操作時には、響線５１が響板２３の振動に対して不必要に共鳴しにくくなることで、クリアな演奏音が得られる。一方、ダンパーペダル２５の操作時には、響線加振器５２による響線５１の加振を、響板２３の振動の影響を直接、受けることなく、行えるので、共鳴音を良好に発生させることができる。
【００５８】
また、響線加振器５２を駆動するための駆動信号ＳＤを、響板加振器２７に出力される楽音信号ＳＬＯとは別個に生成するとともに、その波形が単純なサイン波で構成されているので、共鳴音の制御をより単純化することができる。
【００５９】
なお、本実施形態では、響線５１および響線加振器５２を下前板２２に取り付けているが、響板２３に取り付けてもよく、あるいは、下前板２２および響板２３とは別個の専用の取付板を、スタンドユニット３の蓋板２４などに設け、この取付板に取り付けてもよい。
【００６０】
なお、本発明は、上記した以外にも、実施形態に限定されることなく、種々の態様で実施することができる。例えば、実施形態では、響線５１による共鳴音の強さを、ダンパーペダル２５の操作量ＡＰに応じて設定しているが、これに加えて、操作パネル１０に専用のボリュームなどを設け、その操作により演奏者が変更できるようにしてもよい。
【００６１】
また、実施形態に示した響線５１は、あくまで例示であり、その本数や取付の構成は適宜、変更することができる。さらに、実施形態は、本発明をアップライト型の電子ピアノに適用した例であるが、本発明は、これに限らず、グランド型の電子ピアノなど、他の適当なタイプの電子鍵盤楽器に適用することができる。その他、本発明の趣旨の範囲内で、細部の構成を適宜、変更することが可能である。
【図面の簡単な説明】
【００６２】
【図１】本発明を適用した電子ピアノの斜視図である。
【図２】図１の電子ピアノの背面図である。
【図３】第１実施形態による電子ピアノの部分側断面図である。
【図４】図３の電子ピアノの響板の正面図である。
【図５】図３の電子ピアノの楽音生成装置を示す回路構成図である。
【図６】共鳴音波形データに乗算される振幅を設定するためのテーブルである。
【図７】第２実施形態による電子ピアノの部分側断面図である。
【図８】図７の電子ピアノの楽音生成装置を示す回路構成図である。
【符号の説明】
【００６３】
１  電子ピアノ（電子鍵盤楽器）
１３  鍵
２２  下前板（響線取付板）
２３  響板
２５  ダンパーペダル
２６  ペダルセンサ
２７  響板加振器
３０  楽音生成装置
５１  響線
５２  響線加振器
６１  電子ピアノ（電子鍵盤楽器）
６２  楽音生成装置
ＳＬＯ  楽音信号
ＡＰ  ダンパーペダルの操作量
【図１】
2008299052.tif 000003
【図２】
2008299052.tif 000004
【図３】
2008299052.tif 000005
【図４】
2008299052.tif 000006
【図５】
2008299052.tif 000007
【図６】
2008299052.tif 000008
【図７】
2008299052.tif 000009
【図８】
2008299052.tif 000010